(57)【要約】【課題】ディスクカートリッジに挿入されるディスクに付着したほこりや脂汚れを、除去することができるディスクカートリッジを提供する。【解決手段】ディスクカートリッジは、所定間隔をあけて対向する上側部材２及び下側部材３と、側壁とを含むケース１とを有し、ケース１は、情報を記録するディスク５を回転可能に収納し、そこを通してディスク５を挿入又は取り出しでき、側壁の一つに形成された開口部を備えている。ケース１には、開口部を開閉する蓋１４が備えられており、上側部材２及び下側部材３の内面の少なくとも一方であって、ディスク５の情報記録面側に、ディスク５をケース１に挿入するとき又はケース１から取り出すときにディスク５の表面に接触するクリーニング部材６１，６２を備えている。【選択図】図２３
2008135180.tif 000002
【特許請求の範囲】
【請求項１】
所定間隔をあけて対向する第１及び第２の平面部と、前記第１及び第２の平面部をつなぐ側壁とを含むケースを有し、
前記ケースが、情報を記録するディスクを回転可能に収納し、そこを通して前記ディスクを挿入又は取り出しでき、前記側壁の一つに形成された開口部を備えており、
前記ケースに備えられ、前記開口部を開閉する蓋を有するディスクカートリッジにおいて、
前記第１及び第２の平面部の内面の少なくとも一方であって、前記ディスクの情報記録面側に、前記ディスクを前記ケースに挿入するとき又は前記ケースから取り出すときに前記ディスクの表面に接触するクリーニング部材を有することを特徴とするディスクカートリッジ。
【請求項２】
前記クリーニング部材がブラシであることを特徴とする請求項１に記載のディスクカートリッジ。
【請求項３】
所定間隔をあけて対向する第１及び第２の平面部と、前記第１及び第２の平面部をつなぐ側壁とを含むケースを有し、
前記ケースが、情報を記録するディスクを回転可能に収納し、そこを通して前記ディスクを挿入又は取り出しでき、前記側壁の一つに形成された開口部を備えており、
前記第１及び第２の平面部に対して平行な平面内で回転できるように前記蓋を支持する支持手段を有するディスクカートリッジにおいて、
前記蓋の内側に前記ディスクの外周を差し込むことができる保持溝を有することを特徴とするディスクカートリッジ。
【請求項４】
所定間隔をあけて対向する第１及び第２の平面部と、前記第１及び第２の平面部をつなぐ側壁とを含むケースを有し、
前記ケースは、情報を記録するディスクを回転可能に収納し、そこを通して前記ディスクを挿入又は取出しでき、前記側壁の一つに形成された開口部を備えており、
前記ケースに備えられ、前記開口部を開閉する蓋を有するディスクカートリッジにおいて、
前記第１及び第２の平面部の少なくとも一方の内側に突出し、前記開口部の厚さを前記ディスクを挿入又は排出可能な範囲内で前記ディスクの厚さとほぼ同じにする挿入制限部を有することを特徴とするディスクカートリッジ。
【発明の詳細な説明】
【技術分野】
【０００１】
本発明は、光ディスクや光磁気ディスク等の情報記録用ディスクを挿入及び取出し可能に収納するディスクカートリッジに関するものである。
【背景技術】
【０００２】
図３４は、電子ブックという商品名で市販されている従来のディスクカートリッジの表側（ディスクのＡ面側）の平面図であり、図３５は、図３４のディスクカートリッジのシャッターを開いた様子を示す表側の平面図であり、図３６は、図３４のディスクカートリッジのシャッターを開いた様子を示す裏側（ディスクのＢ面側）の平面図である。また、図３７は、図３４のディスクカートリッジをＳ３７−Ｓ３７線で切る断面図であり、図３８は、図３４のディスクカートリッジの蓋を開けて収納されているディスク５を取り出す様子を示す平面図である。
【０００３】
図３４〜図３８に示されるように、従来のディスクカートリッジは、ディスク５を回転可能に収納するケース１を有する。ケース１は、ディスク５を収納する空間４を形成するように所定間隔をあけて対向する表側部材２と裏側部材３とを有する。表側部材２は、ケース１の表側の平面部６と、ケース１の側壁７，８，９，１０の一部（ほぼ半分）を構成する。裏側部材３は、ケース１の裏側の平面部１１と、ケース１の側壁７，８，９，１０の一部（ほぼ半分）を構成する。
【０００４】
表側部材２には、そこを通してディスク５のＡ面に情報を書込み又はディスク５のＡ面から情報を読み取る窓２ａが備えられている。また、裏側部材３には、そこを通してディスク５のＢ面に情報を書込み又はディスク５のＢ面から情報を読み取る窓３ａが備えられている。また、ケース１には、窓２ａ及び３ａを開閉するシャッター１２が備えられている。
【０００５】
さらに、ケース１の側壁１０には、そこを通してディスク５を挿入し又は取り出す開口部１３が備えられている。そして、ケース１には、開口部１３を開閉する蓋１４が備えられている。蓋１４は、表側部材２の平面部６及び裏側部材３の平面部１１に対して平行な平面内で回転できるように支軸１５によってケース１に支持されている。
【発明の開示】
【発明が解決しようとする課題】
【０００６】
上記したような従来のディスクカートリッジにおいては、蓋１４の端面１４ａが表側部材２及び裏側部材３の端面２ｂ，３ｂを覆うように外側に形成されている。このため、蓋１４のロック機構（図３４〜図３８には示さず）によるロックを解除して蓋１４を開ける際に、蓋１４に無理な力が加わり塑性変形が生じて端面１４ａの精度が劣化するおそれがある。また、蓋１４を閉めるときに、ロックが不完全であると、ディスクチェンジャー機構のハンド部（図示せず）によって押される端面１４ａが傾いた状態になり、やはり精度が悪化するおそれがある。このため、上記いずれの場合も、ディスクチェンジャー機構のハンド部によって蓋１４の端面１４ａを押して、ディスクカートリッジを記録再生装置に移動させるときに、ディスクカートリッジが斜めになったまま無理矢理挿入され、最悪の場合には記録再生装置内に引っ掛かり脱着不可能になってしまうという問題があった。
【０００７】
また、ディスクカートリッジからディスク５を取り出す際に、ディスク５の情報記録面が表側部材２及び裏側部材３の端面２ｂ，３ｂや内面と接触して、ディスク５の情報記録面に傷が付くという問題もあった。
【０００８】
また、ディスクカートリッジにディスク５を収納する際に、静電気によって付着したほこりや手の脂等の汚れが、ディスク５の情報記録面に付着して、ディスク５から情報を読み取ることができなくなるという問題もあった。
【０００９】
また、ディスクカートリッジにディスク５を収納する際にディスク５をガイドする機構がないために、収納途中でディスク５を落としたり、ディスク５の情報記録面がケース１の内面等と接触したり、ディスク５の情報記録面に手の脂が付着する等の問題もあった。
【００１０】
また、ディスク５をディスクカートリッジから１度も取り出したことがないのか、又は、少なくとも１度は取り出したことがあるがを検出する機構がないため、情報の記録に際して、正常な記録が可能なディスクであるかどうかを識別する処理（即ち、ディスク５のフォーマットを検証する処理）を実行した後に、記録動作を実行する必要があり、記録時間が長くなるという問題もあった。
【００１１】
さらに、ディスクカートリッジの開口部１３からは、ＭＤ（ミニディスク）や電子ブック用ディスク等の複数種類のディスクがそのまま挿入できるので、誤って違う種類のディスクを挿入してしまうおそれがあるという問題もあった。
【００１２】
そこで、本発明の目的は、ディスクカートリッジに挿入されるディスクに付着したほこりや脂汚れを、除去することができるディスクカートリッジを提供することにある。
【００１３】
また、本発明の他の目的は、ディスクをディスクカートリッジに挿入する際に、ディスクを手で保持する必要がないディスクカートリッジを提供することにある。
【００１４】
さらに、本発明のさらに他の目的は、異なる形状のディスクが挿入されることを防止できるディスクカートリッジを提供することにある。
【課題を解決するための手段】
【００１５】
本発明のディスクカートリッジは、所定間隔をあけて対向する第１及び第２の平面部と、前記第１及び第２の平面部をつなぐ側壁とを含むケースを有し、前記ケースが、情報を記録するディスクを回転可能に収納し、そこを通して前記ディスクを挿入又は取り出しでき、前記側壁の一つに形成された開口部を備えており、前記ケースに備えられ、前記開口部を開閉する蓋を有するディスクカートリッジであって、前記第１及び第２の平面部の内面の少なくとも一方であって、前記ディスクの情報記録面側に、前記ディスクを前記ケースに挿入するとき又は前記ケースから取り出すときに前記ディスクの表面に接触するクリーニング部材を有することを特徴とするものである。
【００１６】
本発明の他のディスクカートリッジは、所定間隔をあけて対向する第１及び第２の平面部と、前記第１及び第２の平面部をつなぐ側壁とを含むケースを有し、前記ケースが、情報を記録するディスクを回転可能に収納し、そこを通して前記ディスクを挿入又は取り出しでき、前記側壁の一つに形成された開口部を備えており、前記第１及び第２の平面部に対して平行な平面内で回転できるように前記蓋を支持する支持手段を有するディスクカートリッジであって、前記蓋の内側に前記ディスクの外周を差し込むことができる保持溝を有することを特徴とするものである。
【００１７】
本発明のさらに他のディスクカートリッジは、所定間隔をあけて対向する第１及び第２の平面部と、前記第１及び第２の平面部をつなぐ側壁とを含むケースを有し、前記ケースは、情報を記録するディスクを回転可能に収納し、そこを通して前記ディスクを挿入又は取出しでき、前記側壁の一つに形成された開口部を備えており、前記ケースに備えられ、前記開口部を開閉する蓋を有するディスクカートリッジであって、前記第１及び第２の平面部の少なくとも一方の内側に突出し、前記開口部の厚さを前記ディスクを挿入又は排出可能な範囲内で前記ディスクの厚さとほぼ同じにする挿入制限部を有することを特徴とするものである。
【発明の効果】
【００１８】
請求項１の発明によれば、ディスクの情報記録面側に、ディスクをケースに挿入するとき又はケースから取り出すときにディスクの表面に接触するクリーニング部材を備えたので、ディスクの情報記録面に付着した汚れを除去することができ、情報記録面に記録されている情報を読み取る際のエラーを少なくすることができるという効果が得られる。
【００１９】
また、請求項２の発明によれば、クリーニング部材をブラシとしたので、ディスクの情報記録面に付着したほこりを効果的に除去することができ、情報記録面に記録されている情報を読み取る際のエラーを少なくすることができるという効果が得られる。
【００２０】
また、請求項３の発明によれば、第１及び第２の平面部に対して平行な平面内で回転できるように蓋を支持し、蓋の内側にディスクの外周を差し込むことができる保持溝を有するので、ディスクをケースに収納する作業の途中でディスクが脱落することを防止でき、また、ディスクの情報記録面がケースの内面と接触することもなく、さらに、ディスクを手で持つことによって情報記録面に手の脂が付着することもなくなるので、情報を記録できなくなったり、情報記録面に記録されている情報を読みとることができなくなるといった不具合を防止することができるという効果が得られる。
【００２１】
また、請求項４の発明によれば、第１及び第２の平面部の少なくとも一方の内側に突出し、開口部の厚さをディスクを挿入又は排出可能な範囲内でディスクの厚さとほぼ同じにする挿入制限部を備えたので、カートリッジ内に挿入されるおそれのある異物（例えば、他の種類のディスク）の挿入を防止することができるという効果が得られる。
【発明を実施するための最良の形態】
【００２２】
実施の形態１．
図１（ａ）〜（ｄ）は、実施の形態１によるディスクカートリッジの形状を概略的に示すものであり、図１（ａ）は表面（ディスクのＡ面側）を示す平面図であり、図１（ｂ）〜（ｄ）はそれぞれ図１（ａ）のディスクカートリッジの左側、右側、及び正面の側壁を示す図である。図２は、図１（ａ）のディスクカートリッジをＳ２−Ｓ２線で切る断面図である。図３は、図１（ａ）のディスクカートリッジのシャッターを開けた状態を示す平面図である。図４は、ディスクを挿入し又は取り出す開口部の蓋が閉まっているディスクカートリッジを示す平面図である。図５は、図４のＡ部拡大図である。図６は、開口部の蓋が開けられているディスクカートリッジを示す平面図である。
【００２３】
図１（ａ）〜（ｄ）及び図２〜図６に示されるように、実施の形態１のディスクカートリッジは、光ディスクや光磁気ディスク等のようなディスク５を回転可能に収納するケース１を有する。ケース１は、例えば、プラスチック製であるが、金属等の他の材料で形成してもよい。
【００２４】
ケース１は、ディスク５を収納する空間４を形成するように所定間隔をあけて対向する表側部材２と裏側部材３とを有する。表側部材２は、ケース１の表側（ディスク５のＡ面側）の平面部６と、ケース１の側壁７，８，９，１０の一部（ほぼ半分）を構成する。裏側部材３は、ケース１の裏側（ディスク５のＢ面側）の平面部１１と、ケース１の側壁７，８，９，１０の一部（ほぼ半分）を構成する。表側部材２と裏側部材３とは、例えば、接着剤によって接合されている。但し、ケース１は、表側部材２と裏側部材３とからなる２つの部材から構成されたものに限定されず、３個以上の部材から構成されたものでもよく、また、一体的に形成された１つの部材から構成されていてもよい。
【００２５】
表側部材２には、そこを通してディスク５のＡ面に情報を書込み又はディスク５のＡ面から情報を読み取る窓２ａが備えられている。また、裏側部材３には、そこを通してディスク５のＢ面に情報を書込み又はディスク５のＢ面から情報を読み取る窓３ａが備えられている。また、ケース１には、窓２ａ及び３ａを開閉するシャッター１２が備えられている。図２に示されるように、シャッター１２は断面形状をほぼＵ字状にした部材である。シャッター１２は、例えば、金属から構成されている。また、図１（ａ）及び図３に示されるように、シャッター１２は、ケース１に対してスライド可能に取り付けられている。
【００２６】
さらに、ケース１の側壁１０（即ち、シャッター１２に対し反対側の端面）には、そこを通してディスク５を挿入し又は取り出す開口部１３が備えられている。このため、実施の形態１においては、ケース１の側壁１０は、表側部材２の端面２ｂと裏側部材３の端面３ｂとから構成されている。ここで、表側部材２の端面２ｂと裏側部材３の端面３ｂとは、同一平面上に位置するように（即ち、図１（ａ）において、重なるように）形成されている。
【００２７】
また、図４及び図６に示されるように、ケース１には、開口部１３を開閉する蓋１６が備えられている。蓋１６は、表側部材２の平面部６及び裏側部材３の平面部１１の間において、これら平面部６及び１１に対して平行な平面内で回転できるように支軸１５によってケース１に支持されている。支軸１５は、例えば、蓋１６の両面に一体的に形成された凸部である。この凸部は、表側部材２の平面部６及び裏側部材３の平面部１１のそれぞれの内面（ケース１の角部付居の内面）に形成された凹部（図示せず）に回転可能に係合する。但し、支軸１５の構造は、上記のものには限定されず、表側部材２の平面部６及び裏側部材３の平面部１１のそれぞれの内面に形成された凸部と蓋１６の両面に形成された凹部とによって、蓋１６が支持されていてもよい。また、支軸１５が表側部材２の平面部６及び裏側部材３の平面部１１のそれぞれの内面に固定されたシャフト（図示せず）であり、蓋１６が、このシャフトに回転可能に支持されていてもよい。
【００２８】
また、図４〜図６に示されるように、ディスクカートリッジは、蓋１６を閉じたときにケース１に蓋１６を止めておくロック機構１７を有する。ロック機構１７は、ケース１の側壁９に形成された孔９ａと、蓋１６に備えられており、蓋１６を閉めたときに孔９ａに係合する凸部１６ａとを有する。但し、ロック機構１７の構造は、上記のものには限定されず、ケース１の側壁９に形成された凸部と、蓋１６に備えられた凹部とから構成されるような他の構成であってもよい。
【００２９】
さらに、図１（ａ）〜（ｄ）、図２、図４及び図５に示されるように、実施の形態１のディスクカートリッジにおいては、蓋１６を閉じたときに、蓋１６の外側の面１６ｂが、ケース１の開口部１３を備えた側壁１０の外側の面よりも内側になるように形成されている。
【００３０】
上記のように構成されているディスクカートリッジにおいて、ディスク５を取り出す場合には、例えば、先端が尖った道具によって孔９ａの外側から蓋１６の凸部１６ａを押す等して、ロック機構１７によるロックを解除した後、図４及び図６に示されるように、支軸１５を中心にして蓋１６を回転させ、開口部１３を開けてディスク５を取り出す。逆に、ディスク５をディスクカートリッジ内に挿入する場合には、蓋１６を開けた状態で、開口部１３からディスク５を挿入し、蓋１６をケース１に向けて回転させ、さらにケース１に向けて蓋１６を押す。すると、蓋１６の凸部１６ａはケース１の側壁９の端部に当接し、その後、側壁９の内面に当接してわずかに弾性変形しながらケース１内に進み、そして弾性変形を解消してケース１の孔９ａに係合する。
【００３１】
ディスクチェンジャー機構を備えた記録再生装置（図示せず）において、ディスクチェンジャー機構に装填されたディスクカートリッジを記録再生位置に移動させる動作は、例えば、以下のように行われる。図２に示されるように、ディスクカートリッジのケース１の側壁１０に、ディスクチェンジャー機構のハンド部１８を当接させ、側壁１０に矢印方向の力を作用させることによって、ディスクカートリッジを移動させる。つまり、実施の形態１のディスクカートリッジをディスクチェンジャー機構によって記録再生位置まで移動させるときには、ディスクカートリッジのケース１の側壁１０（即ち、上側部材２の端面２及び下側部材３の端面３ｂ）を押して移動させる。
【００３２】
以上に説明したように、実施の形態１のディスクカートリッジによれば、蓋１６が上側部材２と下側部材３との間に位置しているので、上側部材２の端面２ｂ及び下側部材３の端面３ｂに、蓋１６の開閉による無理な力が直接加わることがなく、上側部材２の端面２ｂ及び下側部材３の端面３ｂに塑性変形を生じさせることがない。このため、端面２ｂ及び３ｂの相互の位置関係が常に一定に保たれ、且つ、端面２ｂ及び３ｂ自体に変形が生じることがなく、端面２ｂ及び３ｂの精度が常に初期状態のまま良好に保たれ、ハンド部１８の押し面１８ａとの接触状態も常に良好に保たれる。従って、実施の形態１のディスクカートリッジによれば、ディスクカートリッジが、その先端（端面８側）を上げて又は下げて記録再生位置に無理矢理挿入されたり、最悪の場合には，記録再生装置内に引っかかり脱着不能になってしまうという不具合を防止することができる。
【００３３】
また、万一、蓋１６を閉めるときに、ロック機構１７によるロックが不完全であったとしても、蓋１６の端面１６ｂが、ケース１の側壁１０（端面２ｂ，３ｂ）よりも突出していないので、ハンド部１８は蓋１６の端面１６ｂではなく、ケース１の側壁１０を押すこととなる。従って、実施の形態１のディスクカートリッジによれば、ハンド部１８が半開きの蓋１６を押すことによって生じ得るディスクカートリッジの傾きを防止することができる。このため、ディスクカートリッジが記録再生位置に無理矢理挿入されたり、最悪の場合には，記録再生装置内に引っかかり脱着不能になってしまうという不具合を防止することができる。
【００３４】
実施の形態２．
図７（ａ）〜（ｄ）は、実施の形態２によるディスクカートリッジの形状を概略的に示すものであり、図７（ａ）は表面（ディスクのＡ面側）を示す平面図であり、図７（ｂ）〜（ｄ）はそれぞれ図７（ａ）のディスクカートリッジの左側、右側、及び正面の側壁を示す図である。図８は、図７（ａ）のディスクカートリッジをＳ８−Ｓ８線で切る断面図である。図９は、開口部の蓋が開けられているディスクカートリッジを示す断面図である。図１０は、図７（ａ）のディスクカートリッジのシャッターを開けた状態を示す平面図である。図１１は、図８のＢ部拡大図である。
【００３５】
図７（ａ）〜（ｄ）、及び図８〜図１１において、上記実施の形態１の構成と同一又は対応する構成には、同一の符号を付す。
【００３６】
図７（ａ）〜（ｄ）、及び図８〜図１１に示されるように、実施の形態２のディスクカートリッジは、ケース１に形成された開口部２１の形状及びこの開口部２１を開閉する蓋２２の構造が、上記実施の形態１のディスクカートリッジと相違する。
【００３７】
図９及び図１０に最もよく示されているように、実施の形態２の開口部２１は、ケース１の側壁１０のみではなく、上側部材２の平面部６にまで広がっている。
【００３８】
また、図７（ｄ）、及び図８〜図１１に示されるように、実施の形態２のディスクカートリッジにおいては、下側部材３の側壁１０の中央には切欠き部２３が形成されている。一方、蓋２２の先端には、切欠き部２３の先端に係合するフック部２２ｂが形成されている。フック部２２ｂ及び切欠き部２３は、蓋２２をケース１に固定するロック機構２４を構成する。但し、ロック機構２４の構造は、上記のものには限定されず、他の構成であってもよい。
【００３９】
さらに、図７（ａ）、図８及び図１１に示されるように、実施の形態２のディスクカートリッジにおいては、蓋２２を閉じたときに、蓋２２の外側の面２２ｃが、ケース１の側壁１０の外側の面よりも内側になるように形成されている。
【００４０】
このように構成されているディスクカートリッジにおいて、ディスク５を取り出す場合には、フック部２２ｂを指で引いて切欠き部２３との係合を解除し、支軸２２ａを中心にして蓋２２を回転させて、蓋２２を開けてディスク５を取り出す。逆に、ディスク５をディスクカートリッジ内に挿入する場合には、蓋２２を開けた状態で、開口部２１からディスク５を挿入し、蓋２２をケース１に向けて回転させ、上からケース１に向けて蓋２２を押す。すると、蓋２２のフック部２２ｂは切欠き部２３の上面に当接しながらわずかに弾性変形し、切欠き部２３の先端より下まで移動したときに弾性変形を解消して切欠き部２３に係合する。
【００４１】
ディスクチェンジャー機構を備えた記録再生装置（図示せず）において、ディスクチェンジャー機構に装填されたディスクカートリッジを記録再生位置に移動させる場合には、ディスクカートリッジの側壁１０に、ディスクチェンジャー機構のハンド部を当接させ、側壁１０に力を作用させることによって、ディスクカートリッジを移動させる。つまり、実施の形態２のディスクカートリッジが、ディスクチェンジャー機構によって記録再生位置まで移動するときには、ディスクカートリッジの側壁１０を押して移動させる。
【００４２】
以上に説明したように、実施の形態２のディスクカートリッジによれば、上記実施の形態１の場合と同様に、上側部材２の端面２ｂ及び下側部材３の端面３ｂ（即ち、側壁１０）に、蓋２２の開閉による無理な力が直接加わることがないので、上側部材２の端面２ｂ及び下側部材３の端面３ｂに塑性変形が生じることがない。このため、端面２ｂ及び３ｂの位置関係が常に一定に保たれ、端面２ｂ及び３ｂで形成される面自体に変形が生じるこがなく、端面２ｂ及び３ｂの面の精度が常に初期状態のまま良好に保たれ、ハンド部の押し面との接触状態も常に良好に保たれる。従って、実施の形態２のディスクカートリッジによれば、ディスクカートリッジが、斜めに記録再生位置に無理矢理挿入されたり、最悪の場合には，記録再生装置内に引っかかり脱着不能になってしまうという不具合を防止することができる。
【００４３】
また、図９及び図１０に示されるように、実施の形態２のディスクカートリッジのケースの開口部２１は従来のものよりも大きく形成されているので、ディスク５をディスクカートリッジの斜め上から挿入又は斜め上に向けて取り出すことができ、ディスク５の着脱が容易になる。また、ディスク５を取り出す際に上側部材２及び下側部材３の端面２ｂ及び３ｂと接触して、ディスク５の信号面に傷が付くおそれがない。
【００４４】
尚、実施の形態２において上記以外の点は、上記実施の形態１の場合と、同じである。
【００４５】
実施の形態３．
図１２（ａ）〜（ｄ）は、実施の形態３によるディスクカートリッジの形状を概略的に示すものであり、図１２（ａ）は表面（ディスクのＡ面側）を示す平面図であり、図１２（ｂ）〜（ｄ）はそれぞれ図１２（ａ）のディスクカートリッジの左側、右側、及び正面の側壁を示す図である。図１３は、図１２（ａ）のディスクカートリッジをＳ１３−Ｓ１３線で切る断面図である。図１４は、図１３のＣ部拡大図である。図１５は、開口部の蓋が開けられているディスクカートリッジを示す平面図である。図１６は、図１５のディスクカートリッジのシャッターを開けた状態を示す側面図である。
【００４６】
図１２（ａ）〜（ｄ）、及び図１３〜図１６において、上記実施の形態１の構成と同一又は対応する構成には、同一の符号を付す。
【００４７】
図１２（ａ）〜（ｄ）、及び図１３〜図１６に示されるように、実施の形態３のディスクカートリッジは、ケース１に形成された開口部３１の形状及びこの開口部３１を開閉する蓋３２の構造が、上記実施の形態１のディスクカートリッジと相違する。
【００４８】
図１２（ａ）及び図１５に最もよく示されているように、実施の形態３の開口部３１は、ケース１の側壁１０のみではなく、上側部材２の平面部６にまで広がっている。
【００４９】
図１２（ａ）、（ｂ）、（ｄ）、及び図１３〜図１６に示されるように、実施の形態３の下側部材３の内面に第１の直線溝３３が形成されている。また、上側部材２の端面には第２の直線溝３４が形成されている。蓋３２の一方の端部は下側部材３の第１の直線溝３３に係合し、蓋３２の他方の端部は上側部材２の第２の直線溝３４に係合している。蓋３２は、第１及び第２の直線溝３３及び３４に係合しながらスライドして、開口部３１を開閉する。
【００５０】
図１５及び図１６に示されるように、蓋３２の上面には、球面状の第１及び第２の凸部３５及び３６が形成されている。上側部材２には第１及び第２の孔３７及び３８が形成されている。蓋３２が閉まっているときには、第１及び第２の凸部３５及び３６はそれぞれ第１及び第２の孔３７及び３８に係合している。蓋３２が開いているときには、第２の凸部３６が第１の孔３７に係合している。
【００５１】
さらに、図１２（ａ）、及び図１３〜図１６に示されるように、実施の形態３のディスクカートリッジにおいては、蓋３２の外側の面３２（ａ）が、ケース１の開口部３１を備えた側壁１０の外側の面よりも内側になるように形成されている。
【００５２】
このように構成されているディスクカートリッジにおいて、ディスク５を取り出す場合には、蓋３３を第１及び第２の直線溝３３及び３４に沿ってスライドさせ、第２の凸部３６が第１の孔３７に係合するまで蓋３２を開けて、開口部３１を通してディスク５を取り出す。逆に、ディスク５をディスクカートリッジ内に挿入する場合には、蓋３２を開けた状態で、開口部３１からディスク５を挿入し、蓋３２を第１及び第２の直線溝３３及び３４に沿ってスライドさせ、第１及び第２の凸部３５及び３６のそれぞれを第１及び第２の孔３７及び３８に係合させる。
【００５３】
ディスクチェンジャー機構を備えた記録再生装置（図示せず）において、ディスクチェンジャー機構に装填されたディスクカートリッジを記録再生位置に移動させる場合には、ディスクカートリッジの側壁１０に、ディスクチェンジャー機構のハンド部を当接させ、側壁１０に力を作用させることによって、ディスクカートリッジを移動させる。つまり、実施の形態３のディスクカートリッジが、ディスクチェンジャー機構によって記録再生位置まで移動するときには、ディスクカートリッジの側壁１０を押して移動させる。
【００５４】
以上に説明したように、実施の形態３のディスクカートリッジによれば、上記実施の形態１の場合と同様に、上側部材２の端面２ｂ及び下側部材３の端面３ｂ（即ち、側壁１０）に、蓋３２の開閉による無理な力が直接加わることがないので、上側部材２の端面２ｂ及び下側部材３の端面３ｂに塑性変形が生じることがない。このため、端面２ｂ及び３ｂの位置関係が常に一定に保たれ、端面２ｂ及び３ｂで形成される面自体に変形が生じることがなく、端面２ｂ及び３ｂの面の精度が常に初期状態のまま良好に保たれ、ハンド部の押し面との接触状態も常に良好に保たれる。従って、実施の形態３のディスクカートリッジによれば、ディスクカートリッジが、斜めに記録再生位置に無理矢理挿入されたり、最悪の場合には，記録再生装置内に引っかかり脱着不能になってしまうという不具合を防止することができる。
【００５５】
また、図１５に示されるように、実施の形態３のディスクカートリッジのケースの開口部３１は従来のものよりも大きく形成されているので、ディスク５をディスクカートリッジの斜め上から挿入又は斜め上に向けて取り出すことができ、ディスク５の着脱が容易になる。また、ディスク５を取り出す際に上側部材２及び下側部材３の端面２ｂ及び３ｂと接触して、ディスク５の信号面に傷が付くおそれがない。
【００５６】
尚、実施の形態３において上記以外の点は、上記実施の形態１の場合と、同じである。
【００５７】
実施の形態４．
図１７（ａ）〜（ｄ）は、実施の形態４によるディスクカートリッジの形状を概略的に示すものであり、図１７（ａ）は表面（ディスクのＡ面側）を示す平面図であり、図１７（ｂ）〜（ｄ）はそれぞれ図１７（ａ）のディスクカートリッジの左側、右側、及び正面の側壁を示す図である。図１８は、図１７（ａ）のディスクカートリッジをＳ１８−Ｓ１８線で切る断面図である。
【００５８】
図１７（ａ）〜（ｄ）及び図１８において、上記実施の形態１の構成と同一又は対応する構成には、同一の符号を付す。
【００５９】
図１７（ａ）〜（ｄ）及び図１８に示されるように、実施の形態４のディスクカートリッジは、ケース１の側壁１０に形成された開口部４１を開閉する蓋４２の構造が、上記実施の形態１のディスクカートリッジと相違する。
【００６０】
実施の形態４のディスクカートリッジの蓋４２は、上記実施の形態１のそれと同様に、支軸４５によって上側部材２と下側部材３との間に回転可能に支持されている。しかし、実施の形態４のディスクカートリッジの蓋４２は、その端面４２ａが、上側部材２及び下側部材３の端面２ｂ及び３ｂよりも外側にあり、且つ、端面２ｂ及び３ｂを覆うように形成されている。また、蓋４２の端面４２ａ上に２個の突出部４２ｂ、４２ｃが形成されている。突出部４２ｂは、蓋４２の回転中心である支軸４５の近傍、即ち、ケース１の側壁７及び１０が交わる角部の近くに形成されている。他方の突出部４２ｃは、ケース１の側壁９及び１０が交わる角部の近くに形成されている。突出部４２ｂ及び４２ｃは、ディスクチェンジャー機構を備えた記録再生装置において、ディスクカートリッジを記録再生装置に挿入する際に、図１８に示されように、ハンド部１８によって押される部分である。尚、突出部は２個には限定されず、ハンド部１７によって荷重が加わっても、蓋４２に変形を生じさせにくい個数であれば３個以上であってもよい。また、突出部４２ｂ及び４２ｃを形成する位置は、ハンド部１７から受ける力をケース１に均等に伝達できる位置であることが望ましい。
【００６１】
実施の形態４のディスクカートリッジによれば、塑性変形が発生しにくいケース１の角部の近くに蓋４２の突出部４２ｂ及び４２ｃを形成したので、ロックを解除して蓋４２を開ける際に、蓋４２に無理な力が加わって塑性変形が生じて端面４２ａ全体の精度が悪化しても、突出部４２ｂ及び４２ｃの位置関係が常に一定に保たれ、突出部４２ｂ及び４２ｃで形成される面の精度も初期状態のまま良好に保たれる。そのため、ディスクチェンジャー機構での使用時に、ケース１を記録再生装置に装填する際に、２個の突出部４２ｂ，４２ｃで形成される面の精度を初期状態のまま良好に保ち、この面をハンド部１８で押すことによって、ディスクカートリッジを正常に記録再生装置に挿入することができる。
【００６２】
尚、実施の形態４において上記以外の点は、上記実施の形態１の場合と、同じである。
【００６３】
実施の形態５．
図１９は、本発明の実施の形態５によるディスクカートリッジの形状を概略的に示す平面図であり、図２０は、図１９のディスクカートリッジをＳ２０−Ｓ２０線で切る断面図である。図２１は、図２０のＤ部の拡大断面図である。
【００６４】
図１９〜図２１において、図３４〜図３８に示される従来の構成と同一又は対応する構成には、同一の符号を付す。
【００６５】
図１９〜図２１に示されるように、実施の形態５のディスクカートリッジは、ケース１の内面、即ち、上側部材２の内面及び下側部材３の内面に直線状の突起５１，５２及び５３，５４を備えた点のみが、図３４〜図３８に示される従来の構成と相違する。
【００６６】
突起５１〜５４は、ケース１の内面のうち、少なくともディスク５の情報記録面に対向する面に形成されていればよい。また、１つの突起がディスク５の突出部５ｃの２箇所に当接するように突起の長さを設定することが望ましい。従って、突起は、ディスクの直径よりも長いことが望ましい。実施の形態５では、上側部材２の内面及び下側部材３の内面にそれぞれ２本ずつ突起が形成されている。これら突起５１〜５４は、ケース１からディスク５を取り出す際又は挿入する際に、ディスク５の情報記録面に傷を付けるのを防ぐためのものである。
【００６７】
図２１に示されるように、光ディスク等のディスク５の外周には情報記録面よりも高い環状の突出部５ｃが形成されている。この突出部５ｃは、ケース１内において、又はディスク５の挿入及び取り出しの際に、突起５１〜５４に接触するため、ディスク５の情報記録面にケース１の内面が接触することはなく、ディスク５の情報記録面に傷を付けることはない。
【００６８】
尚、以上の説明においては、図３４〜図３８に示される従来の構成に突起を設けた場合について説明したが、上記実施の形態１乃至４のいずれかに、突起を適用してもよい。
【００６９】
実施の形態６．
図２２は、本発明の実施の形態６によるディスクカートリッジの形状を概略的に示す平面図であり、図２３は、図２２のディスクカートリッジをＳ２３−Ｓ２３線で切る拡大断面図である。
【００７０】
図２２及び図２３において、図３４〜図３８に示される従来の構成と同一又は対応する構成には、同一の符号を付す。
【００７１】
図２２及び図２３に示されるように、実施の形態６のディスクカートリッジは、ケース１の内面の少なくとも一方であって、ディスク５の情報記録面側に、ディスク５をケース１に挿入するとき又はケース１から取り出すときにディスク５の表面に接触するクリーニング部材としてのブラシ６１及び６２を備えた点のみが、図３４〜図３８に示される従来の構成と相違する。このブラシ６１及び６２は、ディスク５の回転中はディスク５と接触しないような位置であって、且つ、蓋４２を開いてディスク５を取り出す際、あるいは、取り出したディスク５を収納する際には、必ずディスク５の情報記録面に接触するような位置に配置されている。
【００７２】
実施の形態６のディスクカートリッジによれば、ブラシ６１及び６２が、ディスク５の情報記録面に接触することによって、ディスク５の情報記録面に静電気によって付着したほこり、手の脂、タバコのヤニ等の汚れを除去する。このように、ディスク５の取り出し、挿入の度に情報記録面に付着した汚れを除去するので、ケース１から一旦取り出したディスク５を、再びケース１に挿入しても、ディスク５の情報記録面が常に清浄な状態に保たれるので、情報記録面に情報を記録したり、情報記録面に記録されている情報を読み取る際のエラーを少なくすることができる。
【００７３】
尚、ブラシ６１及び６２に代えて、湿式のクリーニング部材を備えてもよく、この場合には、手の脂、タバコのヤニ等を除去するのに一層適している。また、必要に応じてブラシと湿式の部材とを、併用してもよい。また、ブラシ状のクリーニング部材の場合には、ブラシの毛の長さ、剛性が、ディスク５の取出し、収納を妨げないように選択する必要がある。また、湿式のクリーニング部材の場合には、粘性、剛性が、ディスク５の取出し、収納を妨げないように選択する必要がある。
【００７４】
尚、以上の説明においては、図３４〜図３８に示される従来の構成にクリーニング部材を設けた場合について説明したが、上記実施の形態１乃至５のいずれかに、クリーニング部材を適用してもよい。
【００７５】
実施の形態７．
図２４は、本発明の実施の形態７によるディスクカートリッジの形状を概略的に示す平面図であり、図２５は、図２４のディスクカートリッジをＳ２５−Ｓ２５線で切る拡大断面図である。
【００７６】
図２４及び図２５において、図３４〜図３８に示される従来の構成と同一又は対応する構成には、同一の符号を付す。
【００７７】
図２４及び図２５に示されるように、実施の形態７のディスクカートリッジの蓋７１は、その内周にディスク５の外周をはめ込むことができるクランプ溝７２を有する。クランプ溝７２の溝幅は、ディスク５の外周の突出部５ｃの厚さよりも広くなるように形成されている。
【００７８】
ディスク５をケース１に収納する際に、ディスク５をクランプ溝７２にはめ込んでから、蓋７１を閉める。こうすると、ディスク５がクランプ溝７２にガイドされながら、ケース１内の空間４に収納されるクランプ溝７２の溝幅の最小値は、ケース１に収納されたディスク５が、面振れを伴って回転しているときでも、ディスク５に接触しない値である。また、クランプ溝７２の溝幅の最大値は、蓋７１を閉じるときに、クランプ溝７２にはめ込まれたディスク５の情報記録面がディスク５のがたつきによって、ケース１の内面に接触しない値である。
【００７９】
クランプ溝７２でディスク５をガイドするように構成すれば、ディスク５をケース１に収納する作業の途中でディスク５が脱落することを防止できる。また、ディスク５の情報記録面がケース１の内面と接触することもない。さらに、ディスク５をガイドするために手でディスク５を持つことによって、ディスク５の情報記録面に手の脂が付着することもなくなる。よって、ディスク５の情報記録面に脂汚れが生じ、情報を記録できなくなったり、情報記録面に記録されている情報を読みとることができなくなるといった不具合を防止することができる。
【００８０】
尚、以上の説明においては、図３４〜図３８に示される従来の構成にクランプ溝を設けた場合について説明したが、上記実施の形態１乃至６のいずれかに、上記クランプ溝を適用してもよい。
【００８１】
実施の形態８．
図２６は、実施の形態８によるディスクカートリッジの形状（蓋を閉めた状態）を概略的に示す平面図であり、図２７は、図２６のディスクカートリッジの形状（蓋を開けた状態）を概略的に示す平面図である。図２８は、図２６のディスクカートリッジをＳ２８−Ｓ２８線で切る拡大断面図であり、図２９は、蓋を一旦開けてから閉めた状態を示す拡大断面図である。
【００８２】
図２６〜図２９において、図３４〜図３８に示される従来の構成と同一又は対応する構成には、同一の符号を付す。
【００８３】
実施の形態８のディスクカートリッジは、蓋８１を開けたことがあるかどうかを検出するための検出部を備えている点のみが、図３４〜図３８に示される従来のディスクカートリッジと相違する。
【００８４】
図２６〜図２９において、８２は、上側部材２を貫通するように形成された検出孔である。８３は、下側部材３の、検出孔８２に対向する位置に形成された識別用突起である。識別用突起８３の根元には、ケース１の強度を低下させないために、内周に肉ぬすみ８３ａが形成されている。また、蓋８１には、識別用突起８３の周囲を取り囲むように形成された切欠き８１ａが形成されている。
【００８５】
ディスクカートリッジの製造に際しては、図２８に示されるように、識別用突起８３が下側部材３に連結されており、蓋８１の切欠き８１ａの内側に位置している。検出孔８２から識別用突起８３があることを検出させることによって、このディスクカートリッジは購入後一度も蓋８１を開けていないことを認識することができる。
【００８６】
蓋８１を開けてディスク５をケース１から取り出そうとすると、蓋８１に形成された切欠き８１ａが、識別用突起８３と接触し、識別用突起８３を根元から切断する。切断された識別用突越８３は、切欠き８１ａの中に保持されたまま、蓋８１の回転と共に移動し、切欠き８１ａがケース１の外に出たときに自然落下により排出される。つまり、一旦折れてケース１の外に出た識別用突起８３が、元の位置に戻ることはなく、また、ケース１の内部の空間４に入ることもない。
【００８７】
このとき、下側部材３の識別用突越８３がなくなった位置には、図２９に示されるように、貫通する検出孔８４が形成される。この検出孔８４は、上側部材２の検出孔８２に対向した位置に形成される。このようにして、識別用突起８３が折れてなくなった位置には、上側部材２及び下側部材３を貫通する検出孔８２，８４が形成される。検出孔８２，８４は、蓋８１を閉じても、塞がれることはなく、貫通した状態が保たれる。
【００８８】
装填されたディスクカートリッジのディスクに情報を記録する記録再生装置内に、貫通した検出孔８２，８４の上側部材２側に発光素子（図示ぜず）を配置し、下側部材３（図示ぜず）に受光素子を配置すれば、受光素子が光を検知しないときには、識別用突起８３が折れずに残っているということがわかる。つまり、装填されたディスクカートリッジが、蓋８１を１度も開けていないことがわかる。同様に、受光素子が光を検知するときには、識別用突起８３が折れて、検出孔８４が形成されているということがわかる。つまり装填されたディスクカートリッジの蓋８１は少なくとも１度は開けたことがあることがわかる。よって、ディスクが、ケース１から１度も取り出されたことがないか、少なくとも１度は取り出されたことがあるかどうかが、記録再生装置によって検出可能になる。
【００８９】
少なくとも１度は、ケース１から取り出されたことがあるディスクに、情報を記録する場合には、収納されているディスクが正常な記録が可能なディスクであるかどうかを識別するために、一旦ディスクのフォーマットを検証する必要がある。ディスクに、ケース１から取り出した履歴を記録し、それを読み取る方法を用いれば、一旦ディスクに記録された情報を読み取ってからフォーマット検証の要否を判断するため、記録開始までに時間がかかってしまう。ところが、貫通した検出孔８２，８４を用いると、フォーマット検証の要否判断は、記録再生装置にディスクカートリッジが装填されてすぐに行われるので、記録開始までに要する時間を非常に短くできる。そのため、記録時間を短縮することができる。
【００９０】
尚、突起８３は、蓋８１を手で開く程度のカでも根元から折れてしまう構造のものであれば、肉ぬすみのない非常に細いピン状のもの等、他の構造のものであってもよい。
【００９１】
また、以上の説明においては、図３４〜図３８に示される従来の構成に検出孔及び突起を設けた場合について説明したが、上記実施の形態１乃至７のいずれかに、上記検出孔及び突起を適用してもよい。
【００９２】
実施の形態９．
図３０は、本発明の実施の形態９によるディスクカートリッジの形状を概略的に示す断面図であり、図３１は、図３０のディスクカートリッジの開口部を備えた側壁を示す図である。
【００９３】
図３０及び図３１において、図３４〜図３８に示される従来の構成と同一又は対応する構成には、同一の符号を付す。
【００９４】
図３０及び図３１に示されるように、実施の形態９のディスクカートリッジは、開口部の内面に凸部９１及び９２を設けるようにして、開口部１３の厚さを狭くしている点のみが、図３４〜図３８に示される従来の構成と相違する。開口部１３の厚さは、ディスクを挿入又は排出可能な範囲内でディスクの厚さとほぼ同じにする。このように構成されたディスクカートリッジによれば、カートリッジ内に挿入されるおそれのある異物（例えば、他の種類のディスク）の挿入を防止することができる。
【００９５】
図３２は、図３０及び図３１に示された実施の形態９の変形例であり、凸部９３を開口部１３の内面の一方に設けた点のみが、図３０及び図３１の場合と相違する。
【００９６】
図３３は、図３０及び図３１に示された実施の形態９の変形例であり、凸部９４から９７を開口部１３の内面の四隅に設けた点のみが、図３０及び図３１の場合と相違する。
【００９７】
また、以上の説明においては、図３４〜図３８に示される従来の構成に凸部を設けた場合について説明したが、上記実施の形態１乃至８のいずれかに、凸部を適用してもよい。
【図面の簡単な説明】
【００９８】
【図１】実施の形態１によるディスクカートリッジの形状を概略的に示すものであり、（ａ）は表面（ディスクのＡ面側）を示す平面図であり、（ｂ）〜（ｄ）はそれぞれ同図（ａ）のディスクカートリッジの左側、右側、及び正面の側壁を示す図である。
【図２】図１（ａ）のディスクカートリッジをＳ２−Ｓ２線で切る断面図である。
【図３】図１のディスクカートリッジのシャッターを開けた状態を示す平面図である。
【図４】ディスクを挿入し又は取り出す開口部の蓋が閉まっている図１のディスクカートリッジを示す平面図である。
【図５】図４のＡ部拡大図である。
【図６】開口部の蓋が開けられている図１のディスクカートリッジを示す平面図である。
【図７】実施の形態２によるディスクカートリッジの形状を概略的に示すものであり、（ａ）は表面（ディスクのＡ面側）を示す平面図であり、（ｂ）〜（ｄ）はそれぞれ同図（ａ）のディスクカートリッジの左側、右側、及び正面の側壁を示す図である。
【図８】図７（ａ）のディスクカートリッジをＳ８−Ｓ８線で切る断面図である。
【図９】開口部の蓋が開けられている図７のディスクカートリッジを示す断面図である。
【図１０】図７のディスクカートリッジのシャッターを開けた状態を示す平面図である。
【図１１】図８のＢ部拡大図である。
【図１２】実施の形態３によるディスクカートリッジの形状を概略的に示すものであり、（ａ）は表面（ディスクのＡ面側）を示す平面図であり、図１２（ｂ）〜（ｄ）はそれぞれ同図（ａ）のディスクカートリッジの左側、右側、及び正面の側壁を示す図である。
【図１３】図１２（ａ）のディスクカートリッジをＳ１３−Ｓ１３線で切る断面図である。
【図１４】図１３のＣ部拡大図である。
【図１５】開口部の蓋が開けられている図１２のディスクカートリッジを示す平面図である。
【図１６】図１５のディスクカートリッジのシャッターを開けた状態を示す側面図である。
【図１７】実施の形態４によるディスクカートリッジの形状を概略的に示すものであり、（ａ）は表面（ディスクのＡ面側）を示す平面図であり、（ｂ）〜（ｄ）はそれぞれ同図（ａ）のディスクカートリッジの左側、右側、及び正面の側壁を示す図である。
【図１８】図１７（ａ）のディスクカートリッジをＳ１８−Ｓ１８線で切る断面図である。
【図１９】本発明の実施の形態５によるディスクカートリッジの形状を概略的に示す平面図である。
【図２０】図１９のディスクカートリッジをＳ２０−Ｓ２０線で切る断面図である。
【図２１】図２０のＤ部の拡大断面図である。
【図２２】本発明の実施の形態６によるディスクカートリッジの形状を概略的に示す平面図である。
【図２３】図２２のディスクカートリッジをＳ２３−Ｓ２３線で切る拡大断面図である。
【図２４】本発明の実施の形態７によるディスクカートリッジの形状を概略的に示す平面図である。
【図２５】図２４のディスクカートリッジをＳ２５−Ｓ２５線で切る拡大断面図である。
【図２６】実施の形態８によるディスクカートリッジの形状（蓋を閉めた状態）を概略的に示す平面図である。
【図２７】図２６のディスクカートリッジの形状（蓋を開けた状態）を概略的に示す平面図である。
【図２８】図２６のディスクカートリッジをＳ２８−Ｓ２８線で切る拡大断面図である。
【図２９】図２６のディスクカートリッジの蓋を一旦開けてから閉めた状態を示す拡大断面図である。
【図３０】本発明の実施の形態９によるディスクカートリッジの形状を概略的に示す断面図である。
【図３１】図３０のディスクカートリッジの開口部を備えた側壁を示す図である。
【図３２】実施の形態９の変形例であり、ディスクカートリッジの開口部を備えた側壁を示す図である。
【図３３】実施の形態９の変形例であり、ディスクカートリッジの開口部を備えた側壁を示す図である。
【図３４】電子ブックという商品名で市販されている従来のディスクカートリッジの表側（ディスクのＡ面側）の平面図である。
【図３５】図３４のディスクカートリッジのシャッターを開いた様子を示す表側の平面図である。
【図３６】図３４のディスクカートリッジのシャッターを開いた様子を示す裏側（ディスクのＢ面側）の平面図である。
【図３７】図３４のディスクカートリッジをＳ３７−Ｓ３７線で切る断面図である。
【図３８】図３４のディスクカートリッジの蓋を開けて収納されているディスクを取り出す様子を示す平面図である。
【符号の説明】
【００９９】
１  ケース、  ２  表側部材、  ３  裏側部材、  ２ａ，３ａ  窓、  ２ｂ，３ｂ  端面、  ４  空間、  ５  ディスク、  ６，１１  平面部、  ７，８，９，１０  側壁、  １２  シャッター、  １３  開口部、  １６，３２，４２，７１，８１  蓋、  １５  支軸、  １７，２４  ロック機構、  ２２  フック部、  ２３  切欠き部、  ３３，３４  直線溝、  ３５  第１の凸部、  ３６  第２の凸部、  ３７  第１の孔、  ３８  第２の孔、  ４２ａ  端面、  ４２ｂ，４２ｃ  突出部、  ５１，５２，５３，５４  突起、  ６１，６２  ブラシ、  ７２  クランプ溝、  ８１ａ  切欠き、  ８２  検出孔、  ８３  識別用突起、  ８３ａ  肉ぬすみ、  ８４  検出孔、  ９１，９２  凸部。
【図１】
2008135180.tif 000003
【図２】
2008135180.tif 000004
【図３】
2008135180.tif 000005
【図４】
2008135180.tif 000006
【図５】
2008135180.tif 000007
【図６】
2008135180.tif 000008
【図７】
2008135180.tif 000009
【図８】
2008135180.tif 000010
【図９】
2008135180.tif 000011
【図１０】
2008135180.tif 000012
【図１１】
2008135180.tif 000013
【図１２】
2008135180.tif 000014
【図１３】
2008135180.tif 000015
【図１４】
2008135180.tif 000016
【図１５】
2008135180.tif 000017
【図１６】
2008135180.tif 000018
【図１７】
2008135180.tif 000019
【図１８】
2008135180.tif 000020
【図１９】
2008135180.tif 000021
【図２０】
2008135180.tif 000022
【図２１】
2008135180.tif 000023
【図２２】
2008135180.tif 000024
【図２３】
2008135180.tif 000025
【図２４】
2008135180.tif 000026
【図２５】
2008135180.tif 000027
【図２６】
2008135180.tif 000028
【図２７】
2008135180.tif 000029
【図２８】
2008135180.tif 000030
【図２９】
2008135180.tif 000031
【図３０】
2008135180.tif 000032
【図３１】
2008135180.tif 000033
【図３２】
2008135180.tif 000034
【図３３】
2008135180.tif 000035
【図３４】
2008135180.tif 000036
【図３５】
2008135180.tif 000037
【図３６】
2008135180.tif 000038
【図３７】
2008135180.tif 000039
【図３８】
2008135180.tif 000040